【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
発光素子(LEE)の複数のグループであって、前記LEEのグループのそれぞれが、１つまたは複数のLEEを含み、公称動作条件下で通電されたとき公称光出力を供給するように構成されており、前記LEEのグループが独立して通電することができる、LEEの複数のグループと、
前記LEEのグループに動作可能に接続され、調光信号に基づいて2進の調光コードを求めるように構成されたコントローラであって、前記2進の調光コードが複数のビットを有し、前記LEEのグループのそれぞれが、前記調光コードの対応するビットに関連付けられ、前記コントローラが、前記調光コードの前記対応するビットのビット値に基づいて前記LEEのグループのそれぞれに通電するようにさらに構成されており、各グループの光出力が、照明デバイスの隣接した調光レベル間の前記照明デバイスの前記光出力の差に対応する、コントローラと
を備える照明デバイス。
【請求項２】
前記LEEのグループのそれぞれに関連付けられた前記公称動作条件のそれぞれが、対応する公称駆動電流を含み、前記コントローラが、前記調光コードの前記対応する前記ビットの前記ビット値に基づいて前記LEEのグループのそれぞれに対して前記対応する公称駆動電流を供給するようにさらに構成されている、請求項1に記載の照明デバイス。
【請求項３】
前記コントローラが、前記コントローラによって前記LEEのグループの1つまたは複数に供給される1つまたは複数の駆動電流に基づいて前記LEEの1つまたは複数の動作条件を推測し、前記調光コードの前記対応するビットの前記ビット値、前記推測された動作条件、および前記LEEのグループの光出力と動作条件の間の所定の関係に基づいて、前記LEEのグループのそれぞれの前記駆動電流を制御するようにさらに構成されている、請求項1に記載の照明デバイス。
【請求項４】
前記LEEのうち1つまたは複数の、1つまたは複数の感知された動作条件の指標を提供するように構成された1つまたは複数のセンサであって、前記コントローラが、前記調光コードの前記対応するビットの前記ビット値、前記感知された動作条件、前記公称光出力、および前記LEEのグループの前記公称動作条件に基づいて、前記LEEのグループのそれぞれの駆動電流を制御するようにさらに構成されている1つまたは複数のセンサをさらに備える、請求項1に記載の照明デバイス。
【請求項５】
前記LEEのグループの異なるグループが、前記対応する公称動作条件で異なる光量を供給する、請求項1に記載の照明デバイス。
【請求項６】
前記LEEのグループの異なるグループが、前記対応する公称動作条件で異なる発光パターンを供給する請求項1に記載の照明デバイス。
【請求項７】
2つ以上のグループにおける発光素子(LEE)の数が、前記2つ以上のグループに対して同一である係数だけ変倍された2の整数乗であるように、前記LEEのグループのそれぞれが１つまたは複数のLEEを含むLEEの複数のグループであって、前記LEEのグループが、公称動作条件下で通電されたとき公称光出力を供給するように構成されるとともに、独立して通電することができる、LEEの複数のグループと、
前記LEEのグループに動作可能に接続され、調光信号に基づいて2進の調光コードを求めるように構成されたコントローラであって、前記2進の調光コードが複数のビットを有し、前記LEEのグループのそれぞれが、前記調光コードの対応するビットに関連付けられ、前記調光コードの前記対応するビットのビット値に基づいて前記LEEのグループのそれぞれに通電するようにさらに構成されているコントローラと
を備える照明デバイス。
【請求項８】
前記グループの前記LEEの数が2の整数乗である、請求項7に記載の照明デバイス。
【請求項９】
前記1つまたは複数の感知された動作条件が1つまたは複数の動作温度を含んでいる、請求項4に記載の照明デバイス。
【請求項１０】
前記1つまたは複数の感知された動作条件が、前記LEEの1つまたは複数が発した光の1つまたは複数の特性を含んでいる、請求項4に記載の照明デバイス。
【請求項１１】
前記光の1つまたは複数の特性が放射フラックスを含んでいる、請求項10に記載の照明デバイス。
【請求項１２】
前記光の1つまたは複数の特性が光束を含んでいる、請求項10に記載の照明デバイス。
【請求項１３】
前記光の1つまたは複数の特性が色度を含んでいる、請求項10に記載の照明デバイス。
【請求項１４】
前記LEEのグループの1つまたは複数における前記LEEが、擬似ランダムに配置されている、請求項1に記載の照明デバイス。
【請求項１５】
前記LEEのグループから光を受け取るように配置されたホモジナイザであって、前記ホモジナイザが、前記LEEのグループから受け取った前記光を均質にし、均質にされた光を供給するように構成されており、前記均質にされた光が、前記ホモジナイザにより前記LEEのグループから受け取った前記光より均質に見えるホモジナイザをさらに備える、請求項1に記載の照明デバイス。
【請求項１６】
第1の発光パターンを有する前記LEEのグループの前記公称光出力のうちの1つまたは複数、および前記第1の発光パターンとは異なる第2の発光パターンを有する前記LEEのグループの前記公称光出力のうちの1つまたは複数を、供給するように前記LEEが配置されている、請求項1に記載の照明デバイス。
【請求項１７】
前記第1の発光パターンが、営業時間の期間に事務所スペースの照明を供給するように構成され、前記第2の発光パターンが、閉店時間の期間に前記事務所スペースの照明を供給するように構成される、請求項16に記載の照明デバイス。
【請求項１８】
前記第1の発光パターンが作業照明用の空間照明を供給するように構成され、前記第2の発光パターンがムード照明用の空間照明を供給するように構成される、請求項16に記載の照明デバイス。
【請求項１９】
発光素子(LEE)の複数のグループを含む照明デバイスの光出力を制御する方法であって、前記LEEのグループのそれぞれが、公称動作条件下で通電されたとき公称光出力を供給するように構成されており、前記LEEのグループが独立して通電することができ、前記方法が、
複数のビットを有する2進の調光コードを用意するステップと、
前記LEEのグループのそれぞれを、前記調光コードの対応するビットに関連付けるステップと、
前記調光コードの前記対応するビットのビット値に基づいて前記LEEのグループのそれぞれに通電するステップであって、このことにより、前記照明デバイスの光出力が、通電されたLEEのグループの光出力を重ね合わせたものに相当する、ステップと、
各グループの前記光出力を、前記照明デバイスの隣接した調光レベル間の前記照明デバイスの光出力の差に対応するように構成するステップと、
前記隣接した調光レベル間の前記照明デバイスの光出力の前記差に基づいて前記調光コードと前記調光レベルを関連付けるステップと、
前記関連付けに従って前記調光コードを構成するステップであって、このことにより、動作条件中の対応するLEEのグループの前記光出力によって、隣接した調光レベル間の前記照明デバイスの前記光出力が変化する、ステップと
を含む方法。
【請求項２０】
公称駆動電流を前記公称動作条件のそれぞれと関連付けるステップと、
前記調光コードの前記対応するビットの前記ビット値に基づいて前記LEEのグループのそれぞれに対して前記対応する公称駆動電流を供給するステップと
をさらに含み、
このことにより、前記調光コードに基づいて、ゼロ以上の第1のLEEのグループが通電され、ゼロ以上の第2のLEEのグループが通電を切られる、請求項19に記載の方法。
【請求項２１】
前記LEEのグループの1つまたは複数に供給される1つまたは複数の駆動電流に基づいて前記LEEの1つまたは複数の動作条件を推測するステップと、
前記調光コードの前記対応するビットの前記ビット値、前記推測された動作条件、および前記LEEのグループの光出力と動作条件の間の所定の関係に基づいて、前記LEEのグループのそれぞれの前記駆動電流を制御するステップと
をさらに含む、請求項19に記載の方法。
【請求項２２】
前記LEEのうち1つまたは複数の、1つまたは複数の感知された動作条件の指標を提供するステップと、
前記調光コードの前記対応するビットの前記ビット値、前記感知された動作条件、前記公称光出力、および前記LEEのグループの前記公称動作条件に基づいて、前記LEEのグループのそれぞれの駆動電流を制御するステップと
をさらに含む、請求項19に記載の方法。
【請求項２３】
前記LEEのグループの異なるグループが、前記対応する公称動作条件で異なる光量を供給するように構成するステップをさらに含む、請求項19に記載の方法。
【請求項２４】
前記LEEのグループの異なるグループが、前記対応する公称動作条件で異なる発光パターンを供給するように構成するステップをさらに含む、請求項19に記載の方法。
【請求項２５】
2つ以上のグループにおけるLEEの数を、前記2つ以上のグループに対して同一である係数だけ変倍された2の整数乗に相当するように構成するステップをさらに含む、請求項19に記載の方法。
【請求項２６】
前記グループの前記LEEの数を、2の整数乗になるように構成するステップをさらに含む、請求項25に記載の方法。
【請求項２７】
前記1つまたは複数の感知された動作条件が、1つまたは複数の動作温度を含むように構成するステップをさらに含む、請求項22に記載の方法。
【請求項２８】
前記1つまたは複数の感知された動作条件が、前記LEEの1つまたは複数が発した光の1つまたは複数の特性を含んでいる請求項22に記載の方法。
【請求項２９】
前記光の1つまたは複数の特性が放射フラックスを含んでいる、請求項28に記載の方法。
【請求項３０】
前記光の1つまたは複数の特性が光束を含んでいる、請求項28に記載の方法。
【請求項３１】
前記光の1つまたは複数の特性が色度を含んでいる、請求項28に記載の方法。
【請求項３２】
前記LEEのグループの1つまたは複数における前記LEEを擬似ランダムに配置するステップをさらに含む、請求項28に記載の方法。
【請求項３３】
均質にされた光を供給するために前記LEEのグループから受け取った前記光を均質にするステップであって、前記均質にされた光が、ホモジナイザにより前記LEEのグループから受け取った前記光より均質に見えるステップをさらに含む、請求項19に記載の方法。
【請求項３４】
第1の発光パターンを有する前記LEEのグループの前記公称光出力のうちの1つまたは複数、および前記第1の発光パターンとは異なる第2の発光パターンを有する前記LEEのグループの前記公称光出力のうちの1つまたは複数を供給するように前記LEEを配置するステップをさらに含む、請求項19に記載の方法。
【請求項３５】
前記第1の発光パターンが、営業時間の期間に事務所スペースの照明を供給するように構成され、前記第2の発光パターンが、閉店時間の期間に前記事務所スペースの照明を供給するように構成される、請求項34に記載の方法。
【請求項３６】
前記第1の発光パターンが作業照明用の空間照明を供給するように構成され、前記第2の発光パターンがムード照明用の空間照明を供給するように構成される、請求項34に記載の方法。